【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
少なくとも３つの異なる着色インクを含むインクジェットインクセットであって、
前記着色インクの少なくとも１つが、マゼンタ色で、第１の水性ビヒクルと、ＤＲ６０、ＤＲ８２、ＤＲ８６、ＤＲ８６：１、ＤＲ１６７：１、ＤＲ２７９およびこれらの混合物よりなる群から選択されるマゼンタ分散染料着色剤とを含み、
前記着色インクの少なくとも１つが、黄色で、第２の水性ビヒクルと、ＤＹ６４、ＤＹ７１、ＤＹ８６、ＤＹ１１４、ＤＹ１５３、ＤＹ２３３、ＤＹ２４５およびこれらの混合物よりなる群から選択される黄色分散染料着色剤とを含み、
前記着色インクの少なくとも１つが、シアン色で、第３の水性ビヒクルと、ＤＢ２７、ＤＢ６０、ＤＢ７３、ＤＢ７７、ＤＢ７７：１、ＤＢ８７、ＤＢ２５７、ＤＢ３６７およびこれらの混合物よりなる群から選択されるシアン分散染料着色剤とを含むことを特徴とするインクジェットインクセット。
【請求項２】
第４の水性ビヒクルと、ＤＶ２６、ＤＶ３３、ＤＶ３６、ＤＶ５７およびこれらの混合物よりなる群から選択される分散染料着色剤とを含む着色インク、および／または第５の水性ビヒクルと、ＤＯ３０、ＤＯ４１、ＤＯ６１およびこれらの混合物よりなる群から選択される分散染料着色剤とを含む着色インクをさらに含むことを特徴とする請求項１に記載のインクジェットインクセット。
【請求項３】
前記分散染料黄色着色剤が、ＤＹ６4、ＤＹ７１、ＤＹ８６、ＤＹ１１４およびこれらの混合物よりなる群から選択され、かつ／または前記分散染料マゼンタ着色剤が、ＤＲ６０、ＤＲ８２、ＤＲ８６、ＤＲ８６：１およびこれらの混合物よりなる群から選択され、かつ／または前記分散染料シアン着色剤が、ＤＢ２７、ＤＢ６０、ＤＢ７３、ＤＢ７７、ＤＢ７７：１およびこれらの混合物よりなる群から選択されることを特徴とする請求項１または２に記載のインクジェットインクセット。
【請求項４】
黒色で、第６の水性ビヒクルと黒色分散染料着色剤とを含む着色インクをさらに含むことを特徴とする請求項１〜３のいずれか１項に記載のインクジェットインクセット。
【請求項５】
前記黒色分散染料着色剤が、ＤＢ７７、ＤＲ９２およびＤＹ１１４を含むことを特徴とする請求項４に記載のインクジェットインクセット。
【請求項６】
前記インクが、２５℃で約２０ダイン／ｃｍ〜約７０ダイン／ｃｍの範囲の表面張力、および２５℃で３０ｃＰ以下の粘度を有することを特徴とする請求項１〜５のいずれか１項または組み合わせに記載のインクジェットインクセット。
【請求項７】
前記インクが、前記インクの総重量に基づいて、約７０ｗｔ％〜約９９．８ｗｔ％の水性ビヒクルおよび約０．２５ｗｔ％〜約１５ｗｔ％の分散染料着色剤を含むことを特徴とする請求項１〜６のいずれか１項または組み合わせに記載のインクジェットインクセット。
【請求項８】
前記インクは、テキスタイル基材上にデジタルプリントされると、デジタルプリントされたテキスタイルを生成し、ＡＡＴＣＣ法１６に従って測定したときの耐光性評価が少なくとも約４であることを特徴とする請求項１〜７のいずれか１項または組み合わせに記載のインクジェットインクセット。
【請求項９】
前記インクは、テキスタイル基材上にデジタルプリントされると、デジタルプリントされたテキスタイルを生成し、前記デジタルプリントされたテキスタイルの耐光性が、前記インクセットの前記インクの全てに対して実質的に同じであることを特徴とする請求項１〜８のいずれか１項または組み合わせに記載のインクジェットインクセット。
【請求項１０】
布基材上にインクジェットプリントする方法であって、
（ａ）デジタルデータ信号に応答するインクジェットプリンタを提供する工程、
（ｂ）前記プリンタに、プリントされる布基材を装填する工程、
（ｃ）前記プリンタに、請求項１〜９のいずれか１項または組み合わせに記載のインクジェットインクセットを装填する工程、および
（ｄ）前記デジタルデータ信号に応答して、前記インクジェットインクセットを用いて、前記布基材にプリントをプリントする工程
を含むことを特徴とする方法。
【手続補正２】
【補正対象書類名】明細書
【補正対象項目名】００５１
【補正方法】変更
【補正の内容】
【００５１】
ポリエステルの分散染料を洗うのに推奨される任意のアニオン界面活性剤を用いることができる。
なお、本発明の好ましい態様としては以下のものを挙げることができる。
１．少なくとも３つの異なる着色インクを含むインクジェットインクセットであって、
前記着色インクの少なくとも１つが、マゼンタ色で、第１の水性ビヒクルと、ＤＲ６０、ＤＲ８２、ＤＲ８６、ＤＲ８６：１、ＤＲ１６７：１、ＤＲ２７９およびこれらの混合物よりなる群から選択されるマゼンタ分散染料着色剤とを含み、
前記着色インクの少なくとも１つが、黄色で、第２の水性ビヒクルと、ＤＹ６４、ＤＹ７１、ＤＹ８６、ＤＹ１１４、ＤＹ１５３、ＤＹ２３３、ＤＹ２４５およびこれらの混合物よりなる群から選択される黄色分散染料着色剤とを含み、
前記着色インクの少なくとも１つが、シアン色で、第３の水性ビヒクルと、ＤＢ２７、ＤＢ６０、ＤＢ７３、ＤＢ７７、ＤＢ７７：１、ＤＢ８７、ＤＢ２５７、ＤＢ３６７およびこれらの混合物よりなる群から選択されるシアン分散染料着色剤とを含むことを特徴とするインクジェットインクセット。
２．第４の水性ビヒクルと、ＤＶ２６、ＤＶ３３、ＤＶ３６、ＤＶ５７およびこれらの混合物よりなる群から選択される分散染料着色剤とを含む着色インク、および／または第５の水性ビヒクルと、ＤＯ３０、ＤＯ４１、ＤＯ６１およびこれらの混合物よりなる群から選択される分散染料着色剤とを含む着色インクをさらに含むことを特徴とする１に記載のインクジェットインクセット。
３．前記分散染料黄色着色剤が、ＤＹ６4、ＤＹ７１、ＤＹ８６、ＤＹ１１４およびこれらの混合物よりなる群から選択され、かつ／または前記分散染料マゼンタ着色剤が、ＤＲ６０、ＤＲ８２、ＤＲ８６、ＤＲ８６：１およびこれらの混合物よりなる群から選択され、かつ／または前記分散染料シアン着色剤が、ＤＢ２７、ＤＢ６０、ＤＢ７３、ＤＢ７７、ＤＢ７７：１およびこれらの混合物よりなる群から選択されることを特徴とする１または２に記載のインクジェットインクセット。
４．黒色で、第６の水性ビヒクルと黒色分散染料着色剤とを含む着色インクをさらに含むことを特徴とする１〜３のいずれか１項に記載のインクジェットインクセット。
５．前記黒色分散染料着色剤が、ＤＢ７７、ＤＲ９２およびＤＹ１１４を含むことを特徴とする４に記載のインクジェットインクセット。
６．前記インクが、２５℃で約２０ダイン／ｃｍ〜約７０ダイン／ｃｍの範囲の表面張力、および２５℃で３０ｃＰ以下の粘度を有することを特徴とする１〜５のいずれか１項または組み合わせに記載のインクジェットインクセット。
７．前記インクが、前記インクの総重量に基づいて、約７０ｗｔ％〜約９９．８ｗｔ％の水性ビヒクルおよび約０．２５ｗｔ％〜約１５ｗｔ％の分散染料着色剤を含むことを特徴とする１〜６のいずれか１項または組み合わせに記載のインクジェットインクセット。
８．前記インクは、テキスタイル基材上にデジタルプリントされると、デジタルプリントされたテキスタイルを生成し、ＡＡＴＣＣ法１６に従って測定したときの耐光性評価が少なくとも約４であることを特徴とする１〜７のいずれか１項または組み合わせに記載のインクジェットインクセット。
９．前記インクは、テキスタイル基材上にデジタルプリントされると、デジタルプリントされたテキスタイルを生成し、前記デジタルプリントされたテキスタイルの耐光性が、前記インクセットの前記インクの全てに対して実質的に同じであることを特徴とする１〜８のいずれか１項または組み合わせに記載のインクジェットインクセット。
１０．布基材上にインクジェットプリントする方法であって、
（ａ）デジタルデータ信号に応答するインクジェットプリンタを提供する工程、
（ｂ）前記プリンタに、プリントされる布基材を装填する工程、
（ｃ）前記プリンタに、１〜９のいずれか１項または組み合わせに記載のインクジェットインクセットを装填する工程、および
（ｄ）前記デジタルデータ信号に応答して、前記インクジェットインクセットを用いて、前記布基材にプリントをプリントする工程
を含むことを特徴とする方法。
１１．（ｅ）前記分散染料インクを定着させる工程、および
（ｆ）前記デジタルプリントされた布を洗う工程
をさらに含むことを特徴とする１０に記載の方法。
１２．前記基材がポリエステルまたはポリエステル混合物であることを特徴とする１０または１１に記載の方法。